(57)【要約】【課題】  断熱性および防水性を備えた屋根構造であって、強風による防水層の破損や剥離を確実に防止し得る建物の屋根構造を提供する。【解決手段】  建物の屋根構造は、断熱性および防水性を備えた建物の屋根構造であって、躯体側の屋根下地（１）の屋根面に敷設された断熱材（２）と当該断熱材の表側に積層された防水層（３）とを含み、防水層（３）は、ウレタン樹脂から成る塗膜で形成される。そして、軒先部分（１０）は、断熱材（２）の軒先側端部（２１）及び屋根下地（１）の軒先（１１）が囲繞される状態に、断熱材（２）の上面から軒裏（５）に亙って防水層（３）により被覆される。【選択図】  図１
2008285971.tif 000002
【特許請求の範囲】
【請求項１】
断熱性および防水性を備えた建物の屋根構造であって、躯体側の屋根下地の屋根面に敷設された断熱材と当該断熱材の表側に積層された防水層とを含み、前記防水層は、ウレタン樹脂から成る塗膜で形成され、軒先部分は、前記断熱材の軒先側端部および前記屋根下地の軒先が囲繞される状態に、前記断熱材の上面から軒裏に亙って前記防水層により被覆されていることを特徴とする建物の屋根構造。
【請求項２】
防水層は、塗料としてのウレタン樹脂、または、ポリイソシアネート化合物とポリオール化合物をスプレー塗布して形成されている請求項１に記載の屋根構造。
【請求項３】
防水層の軒裏への廻し込み長さが、断熱材を含む軒先部分の厚さの２０〜２０００％に相当する長さに設定されている請求項１又は２の何れかに記載の屋根構造。
【発明の詳細な説明】
【技術分野】
【０００１】
本発明は、建物の屋根構造に関するものであり、詳しくは、工場、倉庫などの大型の建物に適用される断熱性および防水性を備えた屋根構造であって、強風による防水層の剥離を防止し得る建物の屋根構造に関するものである。
【背景技術】
【０００２】
工場、倉庫などの大型の建物においては、簡易な構造で且つ断熱性および防水性を備えた屋根が多く採用されている。例えば、断熱性および防水性を備えた屋根構造としては、デッキプレートから成る屋根（屋根下地）の屋根面に断熱材を敷設し、当該断熱材の上面に防水シート（防水層）を張設すると共に、断熱材同士の継目をテープによって封止した「防水屋根構造」が提案されている。斯かる屋根構造は、断熱材の継目を介して断熱材と防水シートの間に空気（風）が進入するのを防止し、防水シートの捲れや剥がれを防止する様にしたものである（特許文献１）。
【特許文献１】特開平１１−３３６２６８号公報
【発明の開示】
【発明が解決しようとする課題】
【０００３】
ところで、上記の様な屋根構造においては、防水層である防水シートと断熱材との界面が軒先で露出しているため、強風を受けた場合、実際、その大きな風圧により、防水シートと断熱材との隙間に風が進入し、防水シートが持ち上げられ、防水シートが破損したり剥がれる虞がある。
【０００４】
本発明は、上記の実情に鑑みてなされたものであり、その目的は、断熱性および防水性を備えた屋根構造であって、強風による防水層の破損や剥離を確実に防止し得る建物の屋根構造を提供することにある。
【課題を解決するための手段】
【０００５】
上記の課題を解決するため、本発明では、ウレタン樹脂から成り且つ断熱材の表面に一体化された塗膜の防水層を形成すると共に、軒先部分において、断熱材の上面から軒裏に亙って防水層を連続して形成することにより、断熱材の端部と防水層との界面ならびに断熱材の端部と屋根下地との界面を露出させない様にした。
【０００６】
すなわち、本発明の要旨は、断熱性および防水性を備えた建物の屋根構造であって、躯体側の屋根下地の屋根面に敷設された断熱材と当該断熱材の表側に積層された防水層とを含み、前記防水層は、ウレタン樹脂から成る塗膜で形成され、軒先部分は、前記断熱材の軒先側端部および前記屋根下地の軒先が囲繞される状態に、前記断熱材の上面から軒裏に亙って前記防水層により被覆されていることを特徴とする建物の屋根構造に存する。
【発明の効果】
【０００７】
本発明に係る建物の屋根構造によれば、軒先部分が断熱材の上面から軒裏に亙って防水層により被覆されており、断熱材の軒先側端部と防水層との界面ならびに断熱材の軒先側端部と屋根下地との界面への風の進入を防止できるため、強風による防水層の破損や剥離を確実に防止することが出来る。
【発明を実施するための最良の形態】
【０００８】
本発明に係る建物の屋根構造の実施形態を図面に基づいて説明する。図１は、本発明に係る建物の屋根構造を模式的に示した建物の部分的な縦断面図である。なお、本発明は、その趣旨を越えない限り、以下の実施形態に限定されるものではない。
【０００９】
本発明に係る建物の屋根構造（以下、「屋根構造」と略記する。）は、工場、倉庫などの比較的大型の建物に適用される断熱性および防水性を備えた構造であり、図１に示す様に、躯体側の屋根下地（１）と、当該屋根下地の屋根面に敷設された断熱材（２）と、当該断熱材の表側に積層された防水層（３）とから主に構成される。なお、本発明は、図示する様な勾配屋根に限られず、水平に架設された屋根の構造にも適用できる。
【００１０】
上記の様な建物の屋根において、屋根下地（１）としては、例えば、鉄骨に架設された軽量気泡コンクリートパネル、各種金属製デッキプレート等の屋根版、鉄骨鉄筋コンクリート造における屋根版などが挙げられる。断熱材（２）としては、難燃性のポリエチレンフォーム、ウレタン変性イソシアヌレートフォーム等の板状の発泡樹脂成形体やグラスウールが挙げられる。また、屋根下地（１）及び断熱材（２）は、金属板などに上記の様な樹脂を予め融着して成る一体化された屋根版材料によって構成されていてもよい。
【００１１】
防水層（３）は、ウレタン樹脂から成る塗膜で形成される。防水層（３）を構成するウレタン樹脂としては、イソシアネート基を２個以上有するポリイソシアネート化合物と、水酸基を２個以上有するポリオール化合物、ポリアミン、水などの活性水素を有する化合物などとを反応して得られる２液混合型のポリウレタン樹脂またはポリウレア樹脂が挙げられる。ポリイソシアネートとしては、ジフェニルメタンジイソシアネート（ＭＤＩ）、トリレンジイソシアネート（ＴＤＩ）等のプレポリマー又は変性物が挙げられる。ポリオールとしては、グリコール系、エステル系、エーテル系、ヒマシ油系などが挙げられる。
【００１２】
防水層（３）は、塗料としてのウレタン樹脂、すなわち、溶剤を含む液状のウレタン樹脂をスプレー塗布するか、または、塗料としてのポリイソシアネート化合物およびポリオール化合物をスプレー塗布して形成される。勿論、防水層（３）は、上記の様な樹脂、化合物の刷毛塗工により形成されてもよい。そして、防水層（３）の厚さは、塗布量によって調節できるが、耐久性、防水性およびコストを考慮し、通常は０．５〜４mm、好ましくは１〜３mm、更に好ましくは１．５〜２．５mmとされる。
【００１３】
本発明の屋根構造においては、断熱材（２）と防水層（３）との界面ならびに断熱材（２）と屋根下地（１）との界面を封止するため、軒先部分（４）は、断熱材（２）の軒先側端部（２１）及び屋根下地（１）の軒先（１１）が囲繞される状態に、断熱材（２）の上面から軒裏（５）に亙って上記の防水層（３）により被覆される。
【００１４】
すなわち、本発明においては、屋根面に積層した防水層（３）によって屋根の軒を覆うことにより、軒先部分（４）の屋根下地（１）／断熱材（２）／防水層（３）の層構造における界面への風の進入を防止する様になされている。しかも、防水層（３）の剥がれを防止するため、防水層（３）の軒裏（５）への廻し込み長さ（Ｌ）を特定の長さに設定される。廻し込み長さ（Ｌ）とは、軒裏（５）における防水層（３）の軒の出の方向に沿った塗布長さを言い、斯かる廻し込み長さ（Ｌ）は、屋根下地（１）表面の材質によっても異なるが、断熱材を含む軒先部分の厚さの通常２０〜２０００％に相当する長さ、好ましくは１００〜１０００％に相当する長さ、更に好ましくは３００〜７００％に相当する長さとされる。
【００１５】
また、軒裏（５）における防水層（３）の剥離強度（ピール強度）は、ウレタン樹脂を構成する化合物の選択により、通常５Ｎ／２５ｍｍ以上、好ましくは１０Ｎ／２５ｍｍ以上、更に好ましくは１５Ｎ／２５ｍｍ以上とされる。上記の剥離強度は、「ＪＩＳ  Ｚ０２３７−２００１」に準拠した測定方法により測定可能であり、本発明においては、２５ｍｍの幅で貼り付けた試料を１８０°の角度で引張り且つ３０ｃｍ／分の速度で剥がすときに要する力を言う。本発明においては、軒裏（５）における防水層（３）の剥離強度を上記の様に設計することにより、躯体の振動や変形に対する防水層（３）の耐久性能を一層向上させることが出来る。
【００１６】
本発明の屋根構造の施工においては、先ず、屋根下地（１）の屋根面に断熱材（２）を敷設する。断熱材（２）の施工においては、方形の平面形状を有する所定寸法の断熱材（２）を屋根下地（１）に隙間なく配置し且つこれらをアンカー螺子や両面粘着テープで固定する。アンカー螺子は、母材に穿孔した穴の中で拡張部を開く方式あるいは前記の穴に接着剤で定着部を固定する方式の何れでもよく、また、帯状の押え板を当てがって固定してもよい。
【００１７】
断熱材（２）を敷設した後は、前述した様に、断熱材（２）の表面に液状のウレタン樹脂またはポリイソシアネート化合物とポリオール化合物の２液を塗布することにより、防水層（３）を形成する。防水層（３）の施工においては、例えば、２液を混合塗布する場合、各液を個別の容器に収容し、塗布直前にスプレーガンで混合するか、または、スプレーガンへの供給前に塗料容器内で混合する。そして、断熱材（２）の上面および軒先側端部（２１）を含む露出している各端部、屋根下地（１）の軒先（１１）、ならびに、軒裏（５）の軒先側に隙間なく連続的に塗布する。これにより、断熱材（２）の上面から軒裏（５）に亙って防水層（３）を形成する。
【００１８】
上記の様に、本発明の屋根構造においては、屋根下地（１）の屋根面に敷設した断熱材（２）の表面に対し、ウレタン樹脂から成り且つ当該断熱材に塗膜として一体化された防水層（３）が形成されている。しかも、軒先部分（４）において、断熱材（２）の上面から軒裏（５）に亙って防水層（３）が連続して形成されていることにより、断熱材（２）の端部と防水層（３）との界面ならびに断熱材（２）の端部と屋根下地（１）との界面が封止されている。
【００１９】
すなわち、本発明に係る建物の屋根構造においては、軒先部分（４）が断熱材（２）の上面から軒裏（５）に亙って防水層（３）により被覆されており、断熱材（２）の軒先側端部（２１）と防水層（３）との界面ならびに断熱材（２）の軒先側端部（２１）と屋根下地（１）との界面への風の進入を防止できる。従って、台風などの際の強風による防水層（３）の破損や剥離を確実に防止することが出来る。
【図面の簡単な説明】
【００２０】
【図１】本発明に係る建物の屋根構造を模式的に示した建物の部分的な縦断面図である。
【符号の説明】
【００２１】
１  ：屋根下地
１１：屋根下地の軒先
２  ：断熱材
２１：断熱材の軒先側端部
３  ：防水層
４  ：軒先部分
５  ：軒裏
Ｌ  ：防水層の軒裏への廻し込み長さ
【図１】
2008285971.tif 000003